(57)【要約】【課題】  内部における配線を整理して切替作業等の作業性を改善して、誤作業を防止することができる光成端箱を提供する。【解決手段】  トレイ３０に１次側光ファイバ心線１３と接続するための１次側接続光コード１４と、２次側光ファイバ心線２３と接続するための２次側接続光コード２４を収納して、コネクタ接続部３１により１次側接続光コード１４と２次側接続光コード２４とを接続しておくので、配線を整理しておくことができる。従って、現地では、１次側光ケーブル１１を１次側接続光コード１４と接続するとともに、２次側光ケーブル２１を２次側接続光コード２４と接続することにより、１次側の光ケーブル１１と２次側の光ケーブル２１を接続することができる。また、２次側接続光コード２４は、他の全てのトレイ３０のコネクタ接続部３１と接続することができる長さの切替用余長２５をトレイ３０内の余長収納部３２に有するので、容易に切替を行うことができ、誤作業を防止することができる。【選択図】  図１
2007293136.tif 000002
【特許請求の範囲】
【請求項１】
屋外の１次側光ケーブルを屋内に引き込むための１次側光ケーブル導入部と、屋内における所望の位置に２次側光ケーブルを引き出すための２次側光ケーブル導出部と、前記１次側光ケーブルに収容されている１次側光ファイバ心線と前記２次側光ケーブルに収容されている２次側光ファイバ心線とを接続するための複数のトレイを備えた光成端箱であって、
前記トレイは、前記１次側光ファイバ心線と接続する１次側接続光コードと、前記２次側光ファイバ心線と接続する２次側接続光コードと、前記１次側接続光コードと前記２次側接続光コードとを接続するコネクタ接続部を収納し、
前記２次側接続光コードは前記トレイ内に他のトレイに収納されたコネクタ接続部と切り替え可能な長さの切替用余長を有するとともに、前記切替用余長を収納する余長収納部が前記トレイに設けられていることを特徴とする光成端箱。
【請求項２】
前記トレイは第１の段および第２の段からなる２段構成となっており、
前記第１の段は前記コネクタ接続部と前記余長収納部を有し、
前記第２の段は前記１次側接続光コードと前記１次側光ファイバ心線とを接続する１次側接続部と、前記２次側接続光コードと前記２次側光ファイバ心線とを接続する２次側接続部とを収納していることを特徴とする請求項１に記載の光成端箱。
【請求項３】
前記第２の段は、前記１次側接続部およびその余長と、前記２次側接続部およびその余長とを、それぞれ個別に収納していることを特徴とする請求項２に記載の光成端箱。
【請求項４】
前記余長収納部は、前記第１の段の外周壁の内面に沿って設けられていることを特徴とする請求項２または３に記載の光成端箱。
【請求項５】
前記複数のトレイは前記光成端箱内で前方に向かって斜め下方に向いた状態で積層され、前記各トレイは上方に持ち上げた状態で固定可能であることを特徴とする請求項１から４のいずれか１項に記載の光成端箱。
【請求項６】
前記１次側光ケーブル導入部および前記２次側光ケーブル導出部はともに前記トレイの左右両外側へ導線する形状であり、複数本の溝を備え、それぞれの溝に収納される光ファイバ心線がいずれのトレイと対応しているか識別可能であることを特徴とする請求項１から５のいずれか１項に記載の光成端箱。
【請求項７】
請求項１から６のいずれか一項に記載の光成端箱の前記トレイに、光コネクタ付きの前記１次側接続光コードを配線するとともに前記１次側光ファイバ心線と接続するための余長を収納し、光コネクタ付きの前記２次側接続光コードを配線するとともに切替用余長を確保して前記２次側光ファイバ心線と接続するための余長を収納しておき、現地にて前記１次側接続光コードと前記１次側光ケーブルを接続するとともに前記２次側接続光コードに前記２次側光ケーブルを接続することを特徴とする光成端箱の配線方法。
【発明の詳細な説明】
【技術分野】
【０００１】
本発明は光成端箱に係り、例えば、外部から建物内に光ファイバを引き込む際に、外部の光ケーブルと建物内の光ケーブルとを容易に接続し、あるいは接続しなおすことができる光成端箱に関するものである。
【背景技術】
【０００２】
近年、光ケーブルをビルやマンション等に引き込み、機器につなぐＦＴＴＨサービスが盛んになってきている。光ケーブルを屋外から住宅内に引き入れる場合には、光成端箱がおかれる（例えば特許文献１参照）。
図６（Ａ）〜（Ｃ）に示すように、特許文献１に記載の光成端箱１００は、光ケーブルの心線接続部を着脱自在に支持する支持部１０１と、心線接続部から延びる心線余長を収納する心線余長収納部１０２とからなる接続モジュールＡと成端モジュールＢとを備えたケース本体１０３と、このケース本体１０３に摺動自在に設けた蓋ケース１０４とから構成されている。また、ケース本体１０３内に導入されて心線接続部に至る光ケーブルの光ケーブルおよびテンションメンバを保持する引き込みケーブル把持具１０５と、引き落としケーブル把持具１０５ａと、フロアケーブル把持具１０６とを具備したものである。更に、ケーブル把持具１０５ａに一対の係止切欠き孔１０８、１０８のある固定板１１５にケーブル把持片１１６と、テンションメンバ固定片１１７とを突設し、固定板１１５をケースに複数並列した締付突杆１０７に係脱自在に設けて引き込みケーブル把持具１０５と引き落としケーブル把持具１０５ａとにし、両ケーブル把持具１０５、１０５ａの各締付突杆１０７にそれぞれにフロアケーブル把持具１０６を着脱自在に配備してある。
【特許文献１】特開平１０−３００９４２号公報（図１）
【発明の開示】
【発明が解決しようとする課題】
【０００３】
ところで、ビルやマンションに光成端箱を設置する場合、設置スペースに制限があるため、小型であることが要求される。また、光成端箱は、屋外からの光ケーブルと屋内用の光ケーブルを接続する機能があるが、各テナントや各宅へのサービスは通信事業者が異なったり、解約や切り替え等のために、光成端箱内で接続の切替が頻繁に発生する。すなわち、切替や解約等の切断は、コネクタ接続部で行われるため、住宅等に引き込まれる光コードが狭い光成端箱の内部で輻輳するという問題があった。また、解約した場合、再契約する可能性があるため、光コードを撤去せずにそのまま放置するのが一般的であり、空きコードが発生してさらに輻輳を招くことになる。さらに、これら輻輳や空きコードが原因で識別性を悪くし、活線を誤って切り替えたり、局所曲げにより伝送損失増加を招く等、伝送品質に悪影響があるという不都合があった。
【０００４】
本発明の目的は、内部における配線を整理して切替作業等の作業性を改善して、誤作業を防止することができる光成端箱を提供することにある。
【課題を解決するための手段】
【０００５】
前述した目的を達成するために、本発明にかかる光成端箱は、屋外の１次側光ケーブルを屋内に引き込むための１次側光ケーブル導入部と、屋内における所望の位置に２次側光ケーブルを引き出すための２次側光ケーブル導出部と、前記１次側光ケーブルに収容されている１次側光ファイバ心線と前記２次側光ケーブルに収容されている２次側光ファイバ心線とを接続するための複数のトレイを備えた光成端箱であって、前記トレイは、前記１次側光ファイバ心線と接続する１次側接続光コードと、前記２次側光ファイバ心線と接続する２次側接続光コードと、前記１次側接続光コードと前記２次側接続光コードとを接続するコネクタ接続部を収納し、前記２次側接続光コードは前記トレイ内に他のトレイに収納されたコネクタ接続部と切り替え可能な長さの切替用余長を有するとともに、前記切替用余長を収納する余長収納部が前記トレイに設けられているものである。
【０００６】
このように構成された光成端箱においては、トレイに１次側光ファイバ心線と接続するための１次側接続光コードと、２次側光ファイバ心線と接続するための２次側接続光コードを収納して、コネクタ接続部により１次側接続光コードと２次側接続光コードとを接続しておくので、配線を整理しておくことができる。従って、現地では、１次側光ケーブルを１次側接続光コードと接続するとともに、２次側光ケーブルを２次側接続光コードと接続することにより、１次側の光ケーブルと２次側の光ケーブルを接続することができる。また、２次側接続光コードは、他の全てのトレイのコネクタ接続部と接続することができる長さの切替用余長をトレイ内の余長収納部に有するので、容易に切替を行うことができ、誤作業を防止することができる。
【０００７】
また、本発明にかかる光成端箱は、前記トレイは第１の段および第２の段からなる２段構成となっており、第１の段は前記コネクタ接続部と前記余長収納部を有し、第２の段は前記１次側接続光コードと前記１次側光ファイバ心線とを接続する１次側接続部と、前記２次側接続光コードと前記２次側光ファイバ心線とを接続する２次側接続部とを収納しているものである。
【０００８】
このように構成された光成端箱においては、トレイを第１の段と第２の段の２段構成とし、第２の段には１次側接続光コードと１次側光ファイバ心線とを接続する１次側接続部と、前記２次側接続光コードと前記２次側光ファイバ心線とを接続する２次側接続部とを収納するので、両接続部を接続した後の切替においては、第１の段のみにより行うことができる。
【０００９】
また、本発明にかかる光成端箱は、前記第２の段は、前記１次側接続部およびその余長と、前記２次側接続部およびその余長とを、それぞれ個別に収納しているものである。
【００１０】
このように構成された光成端箱においては、１次側接続部およびその余長と、２次側接続部およびその余長を、第２の段において別個に収納しているので、配線が輻輳することなく、作業性がよい。例えば、ＮＴＴ用キャビネットでは、１次側はプレ配線された４心分岐モジュールがあり、その心線と１次側光ケーブルと接続することにより、コネクタ化がされる。このモジュールを上段に取付け、モジュールから出ている心線を下段トレイに配線しておく構造としている。
【００１１】
また、本発明にかかる光成端箱は、前記余長収納部は、前記第１の段の外周壁の内面に沿って設けられているものである。
【００１２】
このように構成された光成端箱においては、２次側接続光コードに設けられている切替用余長を、第１の段の外周壁に沿って設けているので、切替用余長を取り出す際に他の配線と輻輳することなく容易に取り出すことができ、作業性が良い。
【００１３】
また、本発明にかかる光成端箱は、前記複数のトレイは前記光成端箱内で前方に向かって斜め下方に向いた状態で積層され、前記各トレイは上方に持ち上げた状態で固定可能となっている。
【００１４】
このように構成された光成端箱においては、複数枚積層されているトレイを、手前側が下がるように傾けて設けてあるので、トレイの上方からの作業性が良い。また、作業を行うトレイよりも上方にあるトレイを上方に持ち上げた状態で固定できるので、途中位置にあるトレイにおける作業性も良い。
【００１５】
また、本発明にかかる光成端箱は、前記１次側光ケーブル導入部および前記２次側光ケーブル導出部はともに前記トレイの左右両外側へ導線する形状であり、複数本の溝を備え、それぞれの溝に収納される光ファイバ心線がいずれのトレイと対応しているか識別可能であるものである。
【００１６】
このように構成された光成端箱においては、１次側と２次側が反対方向へ導線されるので、輻輳することが防止される。また、どのトレイに接続されているか識別性が向上するので、作業性が改善される。
【００１７】
また、本発明にかかる光成端箱の配線方法は、本発明に係る光成端箱の前記トレイに、光コネクタ付きの前記１次側接続光コードを配線するとともに前記１次側光ファイバ心線と接続するための余長を収納し、光コネクタ付きの前記２次側接続光コードを配線するとともに切替用余長を確保して前記２次側光ファイバ心線と接続するための余長を収納しておき、現地にて前記１次側接続光コードと前記１次側光ケーブルを接続するとともに前記２次側接続光コードに前記２次側光ケーブルを接続するものである。
【００１８】
このように構成された光成端箱の配線方法においては、予めトレイ内において光コネクタ付きの１次側接続光コードを余長とともに収納し、光コネクタ付きの２次側接続光コードを切替用余長を確保して配線するとともに余長を収納してあるので、現地においては、１次側接続光コードと１次側光ケーブルを接続するとともに２次側接続光コードに２次側光ケーブルを接続するだけで１次側光ケーブルと２次側光ケーブルとを接続することができる。また、コネクタ接続しているので、容易に接続の切替を行うことができる。
【発明の効果】
【００１９】
本発明によれば、トレイに１次側光ファイバ心線と接続するための１次側接続光コードと、２次側光ファイバ心線と接続するための２次側接続光コードを収納して、コネクタ接続部により１次側接続光コードと２次側接続光コードとを接続しておくので、配線を整理しておくことができる。従って、現地では、１次側光ケーブルを１次側接続光コードと接続するとともに、２次側光ケーブルを２次側接続光コードと接続することにより、１次側の光ケーブルと２次側の光ケーブルを接続することができる。また、２次側接続光コードは、他の全てのトレイのコネクタ接続部と接続することができる長さの切替用余長をトレイ内の余長収納部に有するので、容易に切替を行うことができ、誤作業を防止することができるという効果が得られる。
【発明を実施するための最良の形態】
【００２０】
以下、本発明に係る実施形態を図面に基づいて詳細に説明する。
図１（Ａ）は本発明の実施形態にかかる光成端箱の内部を示す正面図、図１（Ｂ）は図１（Ａ）中Ｂ方向から見た側面図、図１（Ｃ）は平面図、図２（Ａ）は上段トレイと下段トレイとを重ねた状態を示す平面図、図２（Ｂ）は図２（Ａ）中Ｂ−Ｂ位置の断面図、図２（Ｃ）は図２（Ａ）中Ｃ−Ｃ位置の断面図、図３（Ａ）は上段トレイの平面図、図３（Ｂ）は下段トレイの平面図、図４は下段トレイにおける１次側を保護している状態を示す平面図、図５（Ａ）はスプリッタモジュール用トレイにおける上段トレイを示す斜視図、図５（Ｂ）は下段トレイを示す斜視図である。
【００２１】
図１〜図３に示すように、本発明の実施形態にかかる光成端箱１０は、屋外の１次側光ケーブル１１を屋内に引き込むための１次側光ケーブル導入部１２と、屋内における所望の位置に２次側光ケーブル２１を引き出すための２次側光ケーブル導出部２２と、１次側光ケーブル１１に収容されている１次側光ファイバ心線１３と２次側光ケーブル２１に収容されている２次側光ファイバ心線２３とを接続するための複数のトレイ３０を備えている。そして、トレイ３０は、１次側光ファイバ心線１３と接続する１次側接続光コード１４と、２次側光ファイバ心線２３と接続する２次側接続光コード２４と、１次側接続光コード１４と２次側接続光コード２４とを接続するコネクタ接続部３１を収納し、２次側接続光コード２４はトレイ３０内に他のトレイ３０に収納されたコネクタ接続部３１と切り替え可能な長さの切替用余長２５を有するとともに、切替用余長２５を収納する余長収納部３２がトレイ３０に設けられている。
【００２２】
図１（Ａ）に示すように、光成端箱１０は本体であるベース板１０ａにモジュール一体型のトレイ３０が複数段積層されており、上方へ開閉可能なカバー１０ｂにより矩形箱状に覆われている。ベース板１０ａには１対の取付レール１６が上下方向に取り付けられており、この取付レール１６に複数のトレイ３０が取り付けられている。図１（Ｂ）に示すように、各トレイ３０は、前方に向かって斜め下方に向いた状態で積層するのが望ましい。これにより、トレイ３０の上方に作業空間を確保しやすいので、作業性が改善される。さらに、各トレイ３０は上方に持ち上げた状態で固定可能に取り付けるのが望ましい。これにより、さらに作業性を向上させることができる。
【００２３】
ベース板１０ａにおける図１（Ａ）中左側端部には、１次側光ケーブル１１と、１次側光ケーブル導入部１２としての光ケーブル把持具１２ａおよび１次側配線ガイド１２ｂと、トレイ３０への配線を保護する配線ダクト１５等が設けられている。また、図１（Ａ）におけるベース板１０ａ右側端部には、２次側光ケーブル２１と、２次側光ケーブル導出部２２としての光ケーブル把持具２２ａおよび２次側配線ガイド２２ｂと、心線専用配線ダクト２６等が設けられている。１次側配線ガイド１２ｂおよび２次側配線ガイド２２ｂは、各々複数の溝１２ｃ、２２ｃを有するとともに、互いに離反する外向きに配線する形状とするのが望ましい。溝１２ｃ、２２ｃは、光ファイバ心線１３、２３に識別するための識別チューブ（図示省略）が取り付けられていても、曲げ半径が３０ｍｍ以上で固定できるようになっている。また、ベース板１０ａの下部中央には、ターミネーションケーブル用の把持具２７が設けられている。
【００２４】
図２および図３に示すように、トレイ３０は第１の段としての上段トレイ３０Ａおよび第２の段としての下段トレイ３０Ｂからなる２段構成とするのが望ましい。また、上段トレイ３０Ａと下段トレイ３０Ｂとを重ねた状態では、上段トレイ３０Ａは下段トレイ３０Ｂの内部に収納されるようにするのが望ましい。
【００２５】
図３（Ａ）に示すように、上段トレイ３０Ａにはコネクタ接続部３１と余長収納部３２が設けられている。コネクタ接続部３１には、例えば４心分岐モジュール３５が設けられており、この４心分岐モジュール３５にはＳＣアダプタ３６が取り付けられている。４心分岐モジュール３５は左右に移動可能となっており、移動量Ｌによって必要切替用余長差を確保している。また、余長収納部３２では、２次側接続光コード２４が上段トレイ３０Ａの外周壁３７の内面に沿って収納されており、他のどのトレイ３０のＳＣアダプタ３６にも接続可能に届くように、外周壁３７に沿って例えば２周程度の余長を収納している。
【００２６】
２次側接続光コード２４の先端にはコネクタ２４ａが取り付けられており、ＳＣアダプタ３６と接続することにより、容易に１次側接続光コード１４と２次側接続光コード２４とを接続することができるようになっている。コネクタ２４ａはＳＣアダプタ３６から容易に取り外すことができ、他のトレイ３０のコネクタ接続部３１のＳＣアダプタ３６に接続することにより、容易に接続の切替を行うことができるようになっている。切替の際に余長収納部３２から取り出す２次側接続光コード２４は、上段トレイ３０Ａの外周壁３７に沿って収納されているので、取り出す際に輻輳することなく容易に取り出すことができる。
【００２７】
また、図３（Ｂ）に示すように、下段トレイ３０Ｂには、１次側接続光コード１４と１次側光ファイバ心線１３とを接続する１次側接続部３３と、２次側接続光コード２４と２次側光ファイバ心線２３とを接続する２次側接続部３４とを収納している。従って、１次側接続光コード１４は、一端が下段トレイ３０Ｂの１次側接続部３３において１次側光ファイバ心線１３に接続され、他端は上段トレイ３０Ａへ引き込まれて４心分岐モジュール３５のＳＣアダプタ３６に接続されることになる。また、２次側接続光コード２４は、一端が下段トレイ３０Ｂの２次側接続部３４において２次側光ファイバ心線２３に接続され、他端は上段トレイ３０Ａの余長収納部３２を経てコネクタ２４ａに接続されることになる。１次側接続部３３および２次側接続部３４においては、融着接続またはメカニカルスプライスによって接続することができる。なお、例えば１次側接続部３３とその余長３３ａを下段トレイ３０Ｂ内の左部分に設け、２次側接続部３４とその余長３４ａを右部分に設けるようにして、別個に設けるのが望ましい。また、図４に示すように、下段トレイ３０Ｂの１次側接続部３３および余長３３ａの上に保護カバー３８を開閉自在に設けて保護することが望ましい。
【００２８】
これにより、１次側接続光コード１４と１次側光ファイバ心線１３との接続、および２次側接続光コード２４と２次側光ファイバ心線２３との接続が完了した後は、下段トレイ３０Ｂにおける作業はなくなるので、コネクタ接続の切替は、上段トレイ３０Ａのみで行うことができる。すなわち、２次側接続光コード２４のコネクタ２４ａを取り外して所望の別のトレイ３０のアダプタ３６に接続することにより、容易に切替を行うことができる。この際、余分な配線がないので、作業性が良く、誤作業を防止することができる。また、２次側接続光コード２４に要求される最大長さは、最上部のトレイ３０と最下部のトレイ３０とが接続可能である長さであり一定であるので、過大な余長を設ける必要がなく、配線の輻輳を防止することができる。
【００２９】
図５（Ａ）および（Ｂ）に示すように、前述したトレイ３０をスプリッタモジュール用トレイ４０として使用することができる。図５（Ｂ）に示すように、下段トレイ４０Ｂには、スプリッタの出力側８心を融着接続かメカニカルスプライス接続できる接続部４１と、余長収納部４２が設けられている。図５（Ａ）に示すように、上段トレイ４０Ａには、スプリッタモジュール４４および余長収納部４５が設けられている。スプリッタモジュール４４は左右に移動可能となっており、この移動量Ｌによって必要切替用余長差を確保している。余長収納部４５では、上述したトレイ３０と同様に、外周壁４６に沿って２周回して収納されている。なお、スプリッタ入力側光コード４３は予めコード化されており、他のトレイ３０のＳＣアダプタ３６と接続可能となっている。スプリッタモジュール４４のＳＣアダプタ４７は、他のトレイ３０からきた２次側接続光コード２４のコネクタ２４ａと接続されるようになっている。
【００３０】
以上、説明した光成端箱１０によれば、トレイ３０に１次側光ファイバ心線１３と接続するための１次側接続光コード１４と、２次側光ファイバ心線２３と接続するための２次側接続光コード２４を収納して、コネクタ接続部３１により１次側接続光コード１４と２次側接続光コード２４とを接続しておくので、配線を整理しておくことができる。従って、現地では、１次側光ケーブル１１を１次側接続光コード１４と接続するとともに、２次側光ケーブル２１を２次側接続光コード２４と接続することにより、１次側の光ケーブル１１と２次側の光ケーブル２１を接続することができる。また、２次側接続光コード２４は、他の全てのトレイ３０のコネクタ接続部３１と接続することができる長さの切替用余長２５をトレイ３０内の余長収納部３３に有するので、容易に切替を行うことができ、誤作業を防止することができる。
【００３１】
次に、光成端箱の配線方法について説明する。
上述したトレイ３０に、光コネクタとしてのＳＣアダプタ３６付きの１次側接続光コード１４を配線するとともに１次側光ファイバ心線１３と接続するための余長を収納し、光コネクタ２４ａ付きの２次側接続光コード２４を配線するとともに切替用余長２５を確保して２次側光ファイバ心線２３と接続するための余長を収納しておき、現地にて１次側接続光コード１４と１次側光ケーブル１１を接続するとともに２次側接続光コード２４に２次側光ケーブル２１を接続する。
【００３２】
配線方法について、さらに詳述する。まず、ベース板１０ａをネジにより所定位置に取り付け、先端が処理済の１次側ケーブル１１を１次側光ケーブル導入部１２に取り付ける。識別チューブを付けて１次側配線ガイド１２ｂの溝１２ｃに配線し、配線ダクト１５に通す。予め、４心分岐モジュール３５が取り付けられ、１次側接続光コード１４およびコネクタ２４ａが付いた２次側接続光コード２４が配線されたトレイ３０をベース板１０ａに取り付ける。各トレイ３０において、１次側光ファイバ心線１３を下段トレイ３０Ｂに配線して、１次側接続光コード１４と１次側光ケーブル１１を接続して余長を収納する。次に、先端が処理済の２次側ケーブル２１を２次側光ケーブル導出部２２に取り付ける。識別チューブを付けて２次側配線ガイド２２ｂの溝２２ｃに配線し、各トレイ３０の下段トレイ３０Ｂに４心ずつ配線し、２次側接続光コード２４と２次側光ケーブル２１を接続して余長を収納する。最後に、最下段にスプリッタモジュール用トレイ４０を取り付ける。
【００３３】
このように構成された光成端箱の配線方法においては、予めトレイ３０内においてＳＣアダプタ３６付きの１次側接続光コード１４を余長とともに収納し、光コネクタ２４ａ付きの２次側接続光コード２４を切替用余長２５を確保して配線するとともに余長を収納してあるので、現地においては、１次側接続光コード１４と１次側光ケーブル１１を接続するとともに２次側接続光コード２４に２次側光ケーブル２１を接続するだけで１次側光ケーブル１１と２次側光ケーブル２１とを接続することができる。また、コネクタ接続しているので、容易に接続の切替を行うことができる。
【００３４】
なお、本発明の光成端箱は、前述した実施形態に限定されるものでなく、適宜な変形，改良等が可能である。例えば、光成端箱１０内に設けるトレイ３０の段数等は、任意である。
【産業上の利用可能性】
【００３５】
以上のように、本発明に係る光成端箱は、トレイに１次側光ファイバ心線と接続するための１次側接続光コードと、２次側光ファイバ心線と接続するための２次側接続光コードを収納して、コネクタ接続部により１次側接続光コードと２次側接続光コードとを接続しておくので、配線を整理しておくことができる。従って、現地では、１次側光ケーブルを１次側接続光コードと接続するとともに、２次側光ケーブルを２次側接続光コードと接続することにより、１次側の光ケーブルと２次側の光ケーブルを接続することができる。また、２次側接続光コードは、他の全てのトレイのコネクタ接続部と接続することができる長さの切替用余長をトレイ内の余長収納部に有するので、容易に切替を行うことができ、誤作業を防止することができるという効果を有し、外部から建物内に光ファイバを引き込む際に、外部の光ケーブルと建物内の光ケーブルとを容易に接続し、あるいは接続しなおすことができる光成端箱等として有用である。
【図面の簡単な説明】
【００３６】
【図１】（Ａ）は本発明の実施形態にかかる光成端箱の内部を示す正面図である。  （Ｂ）は図１（Ａ）中Ｂ方向から見た側面図である。  （Ｃ）は平面図である。
【図２】（Ａ）は上段トレイと下段トレイとを重ねた状態を示す平面図である。  （Ｂ）は図２（Ａ）中Ｂ−Ｂ位置の断面図である。  （Ｃ）は図２（Ａ）中Ｃ−Ｃ位置の断面図である。
【図３】（Ａ）は上段トレイの平面図である。  （Ｂ）は下段トレイの平面図である。
【図４】下段トレイにおける１次側を保護している状態を示す平面図である。
【図５】（Ａ）はスプリッタモジュール用トレイにおける上段トレイを示す斜視図である。  （Ｂ）は下段トレイを示す斜視図である。
【図６】（Ａ）は従来の光成端箱を示す正面図である。  （Ｂ）は従来の光成端箱を示す平面図である。  （Ｃ）は従来の光成端箱を示す側面図である。
【符号の説明】
【００３７】
１０  光成端箱
１１  １次側光ケーブル
１２  １次側光ケーブル導入部
１３  １次側光ファイバ心線
１４  １次側接続光コード
２１  ２次側光ケーブル
２２  ２次側光ケーブル導出部
２３  ２次側光ファイバ心線
２４  ２次側接続光コード
２５  切替用余長
３０  トレイ
３０Ａ  上段トレイ（第１の段）
３０Ｂ  下段トレイ（第２の段）
３１  コネクタ接続部
３２  余長収納部
３３  １次側接続部
３３ａ  余長
３４  ２次側接続部
３４ａ  余長
３７  外周壁
【図１】
2007293136.tif 000003
【図２】
2007293136.tif 000004
【図３】
2007293136.tif 000005
【図４】
2007293136.tif 000006
【図５】
2007293136.tif 000007
【図６】
2007293136.tif 000008